(57)【特許請求の範囲】
【請求項１】
映像データ及びプログラム・クロック基準参照値を含むストリームを入力し、前記プログラム・クロック基準参照値に基づいて電圧制御発振器により生成したクロックを、映像データのデコードを行うデコーダに供給するとともに、デコードデータに基づいてコンポジット信号を生成するビデオエンコーダにも供給するディジタル放送映像生成部と、アナログ放送波から復調した映像信号をディジタルデータ化して前記ビデオエンコーダに供給するアナログ放送映像生成部と、を備えた放送受信装置において、所定電圧値の固定電圧を生成する固定電圧電源と、アナログ放送視聴時に前記固定電圧を前記電圧制御発振器に供給するスイッチと、を備えたことを特徴とする放送受信装置。
【請求項２】
請求項１に記載の放送受信装置において、ディジタル放送に基づく映像データとアナログ放送に基づく映像データは選択スイッチにていずれかが選択されてオンスクリーンディスプレイ回路を経て前記ビデオエンコーダへ供給されるように構成されていることを特徴とする放送受信装置。
【請求項３】
請求項１又は請求項２に記載の放送受信装置において、前記固定電圧電源は前記電圧制御発振器が２７ＭＨｚのクロックを発生する電圧値を生成するように設定されていることを特徴とする放送受信装置。
【発明の詳細な説明】
【０００１】
【産業上の利用分野】
この発明は、ディジタル放送及びアナログ放送の両方を受信できる放送受信装置に関する。
【０００２】
【従来の技術】
地上ディジタル放送波を受信する放送受信装置は、地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。そして、このようなディジタルテレビ放送を受信するディジタルチューナと共に、従来からのアナログ放送を受信するアナログチューナも備えたディジタル・アナログ対応の放送受信装置を構成することができる。
【０００３】
このようなディジタル放送とアナログ放送の両方を受信する放送受信装置は、図２に示すように、ディジタル放送映像生成部３１において、ディジタルチューナ２、ディジタル復調器３、誤り訂正回路（ＦＥＣ）４、デマルチプレクサ（ＴＳデコーダ，ＰＬＬ）５、オーディオデコーダ６、ビデオデコーダ７等を備えており、また、アナログ放送映像生成部３２においては、アナログチューナ１６、アナログ復調器１７、Ａ／Ｄ変換回路（ＡＤＣ）１８等を備える。
【０００４】
ビデオデコーダ７及びフォーマット変換回路９を経て出力される映像信号は輝度信号と色差信号（コンポーネント信号：Ｙ，Ｃｂ，Ｃｒ）であり、コンポーネント信号入力端子を備えていない受像機（図示せず）では映像出力ができない。このため、上記の放送受信装置では、ビデオエンコーダ１４がコンポーネント信号をコンポジット信号（ＮＴＳＣやＰＡＬ信号等）に変換するようにしている。上記の放送受信装置に接続される受像機は、ビデオエンコーダ１４の出力をビデオ端子から入力して映像を表示することになる。
【０００５】
ディジタルテレビ放送システムにおいては、ＭＰＥＧ２システムが採用されている。ＭＰＥＧ２システムでは、ＭＰＥＧ２データデコードや画像と音声の同期をとるために、伝送装置（放送局側）が想定している現在時刻であるプログラム・クロック基準参照値（ＰＣＲ：Program Clpck Reference ）及び映像・音声を表示すべき時刻（ＰＴＳ：Presentation Time Stamp ）を送るようにしている。ＰＣＲフィールドはトランスポートストリームのオプショナルフィールドの４２ビットの領域に格納され、３３ビットのＰＣＲベース領域と９ビットのＰＣＲエクステンション領域とから成る。ＰＣＲベース領域のデータは９０ｋＨｚ単位、ＰＣＲエクステンション領域は２７ＭＨｚ単位で１ずつ増加する。ＰＣＲ値のカウントアップはＰＣＲエクステンション領域で２７ＭＨｚ単位で０から２９９まで増加し、ＰＣＲエクステンション領域が０になると同時にＰＣＲベース領域が１増加する。ＰＣＲは少なくとも１００ｍｓ以内に１回、ＰＴＳは７００ｍｓに１回送られてくることになっている。デマルチプレクサ５はトランスポートストリームからＰＣＲを分離し、オーディオやビデオの復号に必要な基準クロック（２７ＭＨｚ）を生成する。具体的には、ＰＬＬ（位相ロックループ）回路５ｂがＰＣＲと電圧制御発振器（ＶＣＯ）１１の出力周波数とを比較し、この比較結果である電圧値を電圧制御発振器１１に返すことで、この電圧制御発振器１１からＰＣＲに対応した基準クロックが出力される。
【０００６】
ＯＳＤ（オンスクリーンディスプレイ）回路１３は、図示しないＣＰＵから出力指示された文字情報や色情報に基づく映像データを受信映像データに組み込む処理を行う。ＯＳＤ回路１３はディジタル処理を行うものであり、アナログ放送映像に対しても共用することとしている。このため、アナログ放送映像はＡ／Ｄ変換回路１８を経て映像データとされ、ビデオスイッチ１２で選択されてＯＳＤ回路１３を経てビデオエンコーダ１４に供給される。
【０００７】
【発明が解決しようとする課題】
ところで、上記電圧制御発振器１１から出力される基準クロック（２７ＭＨｚ）は、ビデオエンコーダ１４がコンポジット信号（ＮＴＳＣやＰＡＬ信号）を生成するときの基準クロックとしても用いられる。例えば、ＮＴＳＣ方式のコンポジット信号においては、水平同期信号のバックポーチに色副搬送波（カラーサブキャリア：３．５７９５４５ＭＨｚ）がバースト信号として組み込まれるので、ビデオエンコーダ１４は基準クロック（２７ＭＨｚ）を基準にしてＰＬＬ回路５ｂなどにより、カラーサブキャリア（３．５７９５４５ＭＨｚ）の信号を生成することになる。
【０００８】
ここで、放送受信装置に接続されるテレビ受像機の色信号再生回路ではカラーサブキャリア信号を取り出して、これと一定の位相差にあるクロックを再生することになるが、このクロック再生には一般に水晶発振子を用いた電圧制御発振器が用いられる。また、放送受信装置における電圧制御発振器１１にも水晶発振子が用いられているため、それぞれの周波数可変範囲は発振周波数に対してほぼ同じ比率であり、電圧制御発振器１１の発振周波数が最大或いは最小に振れると、テレビ受像機側における色信号再生回路の発振周波数が追従できなくなり、色信号の再生ができずに画像が白黒画像になってしまう可能性がある。すなわち、放送受信装置のデマルチプレクサ（ＴＳデコーダ）にＰＣＲが標準値から大きく外れてしまったストリームが入力されると、それに追従すべくＰＬＬ回路５ｂが働き、電圧制御発振器１１の周波数を中心値から大きくずらすように働く。このため、ビデオエンコーダ１４から出力されるコンポジット映像信号のカラーサブキャリア信号がテレビ受像機の色再生回路が追従できる範囲を超え、画像が白黒になってしまうことになる。
【０００９】
そして、アナログ放送の受信映像出力状態においても、ディジタル放送受信切替時の迅速なディジタル放送映像提示を実現すべく、ディジタルチューナ２やデマルチプレクサ５や電圧制御発振器１１等は動作している。この電圧制御発振器１１が出力するクロックはアナログ放送の受信映像出力状態においてもビデオエンコーダ１４に供給される。このため、アナログ放送受信映像に対するビデオエンコーダ１４での処理においても、前述したごとく、電圧制御発振器１１のクロック周波数が中心値から大きくずれてしまうと、アナログ放送受信映像を映像データ化した後に生成するコンポジット映像信号のカラーサブキャリア信号がテレビ受像機の色再生回路が追従できる範囲を超え、画像が白黒になってしまうことになる。
【００１０】
この発明は、上記の事情に鑑み、プログラム・クロック基準参照値が標準値から大きく外れてしまったストリームが入力されても、アナログ放送受信映像を映像データ化した後に生成するコンポジット映像信号のカラーサブキャリア信号を規定値に収めることができる放送受信装置を提供することを目的とする。
【００１１】
【課題を解決するための手段】
この発明の放送受信装置は、上記の課題を解決するために、映像データ及びプログラム・クロック基準参照値を含むストリームを入力し、前記プログラム・クロック基準参照値に基づいて電圧制御発振器により生成したクロックを、映像データのデコードを行うデコーダに供給するとともに、デコードデータに基づいてコンポジット信号を生成するビデオエンコーダにも供給するディジタル放送映像生成部と、アナログ放送波から復調した映像信号をディジタルデータ化して前記ビデオエンコーダに供給するアナログ放送映像生成部と、を備えた放送受信装置において、所定電圧値の固定電圧を生成する固定電圧電源と、アナログ放送視聴時に前記固定電圧を前記電圧制御発振器に供給するスイッチと、を備えたことを特徴とする。
【００１２】
上記の構成であれば、プログラム・クロック基準参照値が標準値から大きく外れてしまったストリームが入力されても、アナログ放送視聴時には、電圧制御発振器へは固定電圧が供給されるので、アナログ放送受信映像を映像データ化した後に生成するコンポジット映像信号のカラーサブキャリア信号を規定値に収めることができ、このコンポジット映像信号を受け取る受像機側での色消えといった不具合を防止することができる。
【００１３】
ディジタル放送に基づく映像データとアナログ放送に基づく映像データは選択スイッチにていずれかが選択されてオンスクリーンディスプレイ回路を経て前記ビデオエンコーダへ供給されるように構成されていてもよい。また、前記固定電圧電源は前記電圧制御発振器が２７ＭＨｚのクロックを発生する電圧値を生成するように設定されていてもよい。
【００１４】
【発明の実施の形態】
以下、この発明の実施形態を図１に基づいて説明するが、ここではユーザが地上波ディジタル放送及び地上波アナログ放送の両方を受信する場合を例示している。図１はこの実施形態の放送受信装置を示したブロック図であり、説明の便宜上、図２に示した従来の放送受信装置における要素と同一の要素には同一の符号を付記している。
【００１５】
アンテナ１・１５は、地上波放送局から送られてくるディジタル放送信号及びアナログ放送信号を受信する。アンテナ１・１５を別々に設けるのではなく、一本にして共用することもできる。
【００１６】
ディジタルチューナ２は、映像・音声データを含む高周波ディジタル変調信号のうちから特定周波数の信号を取り出す。ディジタル復調器３は、選択されたディジタル変調信号を復調してトランスポート・ストリーム（ＴＳ）を出力する。誤り訂正回路（ＦＥＣ）４はディジタルデータの誤りを検出して訂正する。
【００１７】
デマルチプレクサ（ＴＳデコーダ（TS Dec. ）５ａ）５は、出力されたトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）、プログラム・クロック基準参照値（ＰＣＲ：Program Clpck Reference ）等に分離する。また、デマルチプレクサ５におけるＰＬＬ回路５ｂは、前記ＰＣＲと電圧制御発振器（ＶＣＯ）１１の出力周波数とを比較し、この比較結果である制御電圧値をスイッチ１９を介して電圧制御発振器１１に返す。この返された制御電圧値によって電圧制御発振器１１からＰＣＲに対応した基準クロックが出力される。
【００１８】
デマルチプレクサ５により分離されたオーディオストリームは、オーディオデコーダ（Audio Decoder ）６に供給される。オーディオデコーダ６は、入力された符号化信号を復号して音声データを生成する。この音声データはＤ／Ａ変換器（ＤＡＣ）８によってアナログの音声信号に変換される。ビデオストリームはビデオデコーダ（Video Decoder ）７に供給される。ビデオデコーダ７は、入力された可変長符号を復号して量子化係数や動きベクトルを求め、逆ＤＣＴ変換や動きベクトルに基づく動き補償制御などを行った上で輝度信号と色差信号（コンポーネント信号：Ｙ，Ｃｂ，Ｃｒ）を出力する。ディジタル放送では標準テレビジョンよりも高解像度画像（４８０ｐ，１０８０ｉ）の伝送が可能な仕様になっている。フォーマット変換回路９は、標準受像機でも映像表示が行えるように、高解像度画像（４８０ｐ，１０８０ｉ）を標準画像（４８０ｉ）に変換する。
【００１９】
アナログチューナ１６は、アナログ放送信号のうちから特定周波数の信号を取り出す。アナログ復調器１７は、選択されたアナログ放送信号を復調して映像信号及び音声信号を出力する。映像信号はＡ／Ｄ変換回路（ＡＤＣ）１８によってディジタルの映像データ（４８０ｉ）に変換される。
【００２０】
オーディオスイッチ１０は、アナログ放送視聴時には、アナログ復調器１７からの音声信号を選択して出力し、ディジタル放送視聴時には、Ｄ／Ａ変換器（ＤＡＣ）８からの音声信号を選択して出力する。ビデオスイッチ１２は、アナログ放送視聴時には、Ａ／Ｄ変換回路１８からの映像データを選択して出力し、ディジタル放送視聴時には、フォーマット変換回路９からの映像データを選択して出力する。
【００２１】
ＯＳＤ（オンスクリーンディスプレイ）回路１３は、図示しないＣＰＵから出力指示された文字情報や色情報に基づく映像データを受信映像データに組み込む処理を行う。ＯＳＤ回路１３はディジタル処理を行うものであり、アナログ放送映像に対しても共用することとしている。
【００２２】
ビデオエンコーダ１０は、ＯＳＤ回路１３を経た映像データを受け取り、前記電圧制御発振器４から供給されるクロックを用いて例えばＮＴＳＣ方式のコンポジット信号に変換する。ＮＴＳＣ方式ではカラーサブキャリア信号は３．５７９５４５ＭＨｚであり、ビデオエンコーダ１０は、電圧制御発振器４から供給されるクロックを用いて前記カラーサブキャリア信号を生成する。
【００２３】
スイッチ１９は、所定電圧値の固定電圧を生成する固定電圧電源２０から供給される電圧とＰＬＬ回路５ｂからの制御電圧とを入力し、アナログ放送視聴時には前記固定電圧を選択して電圧制御発振器１１に供給し、ディジタル放送視聴時には、ＰＬＬ回路５ｂからの制御電圧を選択して電圧制御発振器１１に供給するようになっている。アナログ放送視聴かディジタル放送視聴かを示す信号（Ａ・Ｄ選択信号）は、例えばＣＰＵから出力される。スイッチ１９はＰＮＰトランジスタやＮＰＮトランジスタなどを有し、例えばHigh／Low のＡ・Ｄ選択信号をトランジスタのベースなどに入力して信号選択を行う回路構造が用いられる。前記固定電圧電源２０は前記電圧制御発振器１１がその発振周波数中央値である２７ＭＨｚのクロックを発生する電圧値を生成するように設定されている。
【００２４】
アナログ放送視聴状態においても、ディジタル放送受信切替時の迅速なディジタル放送映像提示を実現するために、ディジタルチューナ２やデマルチプレクサ５や電圧制御発振器１１等は動作し、プログラム・クロック基準参照値を含むストリームを入力している。そして、電圧制御発振器１１が出力するクロックはアナログ放送視聴時においてもビデオエンコーダ１４に供給される。アナログ放送視聴時には、ＰＬＬ回路５ａからの制御電圧ではなく、固定電圧電源２０から供給される電圧がスイッチ１９によって選択されて電圧制御発振器１１に供給される。アナログ放送視聴時にプログラム・クロック基準参照値が標準値から大きく外れてしまったストリームが入力されても、電圧制御発振器１１へは固定電圧が供給されるので、アナログ放送受信映像を映像データ化した後に生成するコンポジット映像信号のカラーサブキャリア信号を規定値に収めることができ、このコンポジット映像信号を受け取る受像機側での色消えといった不具合を防止することができる。
【００２５】
【発明の効果】
以上説明したように、この発明によれば、プログラム・クロック基準参照値（ＰＣＲ）が標準値から大きく外れてしまったストリームが入力されても、アナログ放送視聴時において安定したカラーサブキャリア信号を有するコンポジット映像信号を出力することができ、受像機側での安定した色再生が可能となる。
【図面の簡単な説明】
【図１】この発明の実施形態の放送受信装置を示したブロック図である。
【図２】従来の放送受信装置を示したブロック図である。
【符号の説明】
１・１５    アンテナ
２    ディジタルチューナ
５    デマルチプレクサ
９    フォーマット変換回路
１１  電圧制御発振器（ＶＣＯ）
１４  ビデオエンコーダ
１６  アナログチューナ
１９  スイッチ
２０  固定電圧電源
【図１】
0003773873.tif 000002
【図２】
0003773873.tif 000003